(57)【要約】      （修正有）【課題】用便するとき便器からの立ち上がりを補助する安全かつ便利な電動椅子を提供する。【解決手段】基座１０と腰掛セット２０とを含み、基座の内部は便器を収容する収容空間１１を具え、基座の両側にはそれぞれ上方向に延伸する支えが設けられてあり、腰掛セットは基座の上側に設置されるクッション枠を含み、クッション枠は便器に対応して腰掛クッションが設けられ、基座の両側とクッション枠の間にはそれぞれ昇降機構３０が設けられ、それによって腰掛クッションを動かして昇降及び角度調整を行う。【選択図】図１
0003166569.tif 000002
【実用新案登録請求の範囲】
【請求項１】
便器からの立ち上がりを補助する電動椅子であって、
基座と、腰掛セットとを含み、
前記基座の内部は便器を収容する収容空間を具え、基座の両側にはそれぞれ上方向に延伸する支えが設けられ、
前記腰掛セットは基座の上側に設置されるクッション枠を含み、
クッション枠は便器に対応して腰掛クッションが設けられ、
基座の両側とクッション枠の間にはそれぞれ昇降機構が設けられ、
腰掛クッションを動かして昇降及び角度調整の動作を行う前記昇降機構は保護覆い連動部材と、上連接棒と、下連接棒と、駆動部材とを含み、
前記保護覆い連動部材はクッション枠側辺個所に設けられる連接段を含み、かつ連接段の前方は下へ延伸して中空の保護覆い段が設けられ、保護覆い段には少なくとも一つの基座に向かう開放面を具え、
前記上連接棒の一端は支えの頂上端個所に枢接され、他の一端は保護覆い段の開放面から通り込み、かつ保護覆い段内部の頂上端に近い個所に枢接され、
前記下連接棒の一端は支え個所に枢接され、他の一端は保護覆い段の開放面か挿過され、かつ保護覆い段内部の底端に近い個所に枢接され、
前記駆動部材の一端は基座に枢接され、他の一端は保護覆い段の開放面から通り込み、かつ保護覆い段内部の頂上端に近い個所に枢接され、
前記駆動部材は活動伸縮してその長さを変えることができることを特徴とする便器からの立ち上がりを補助する電動椅子。
【請求項２】
前記駆動部材はアクチュエーターであり、アクチュエーターは基座個所に枢設される電動駆動部、及び一端は保護覆い段内に枢設される伸縮棒を含むことを特徴とする請求項１記載の便器からの立ち上がりを補助する電動椅子。
【請求項３】
前記保護覆い連動部材は連動部材主体の両側にあり、それぞれ内殻体及び外殻体に覆われて形成され、前記駆動部材と保護覆い連動部材の枢接点は外殻体及び連動部材主体間に位置し、かつ外殻体及び内殻体と保護覆い連動部材の枢接点は内殻体及び連動部材主体間に位置することを特徴とする請求項１記載の便器からの立ち上がりを補助する電動椅子。
【請求項４】
前記クッション枠の両側にはそれぞれ手すりが設けられ、少なくとも一つの手すりには駆動部材の動作を制御する制御装置が設けられ、かつ制御装置は更に腰掛セットに設置される感知部材が含まれることを特徴とする請求項１記載の便器からの立ち上がりを補助する電動椅子。
【考案の詳細な説明】
【技術分野】
【０００１】
本考案は使用者の身起し立ち上がりを補助する装置に関するもので、更に詳しく言えば、特に便器個所に付け加えることができて、使用者の腰掛けまたは身起し立ち上がりの補助に用いられる便器からの立ち上がりを補助する電動椅子に関するものである。
【背景技術】
【０００２】
アメリカ児童協会及び国家安全協会の調査報告によれば、アメリカの家庭での不慮の転倒による平均的年間傷害が３１２万人あり、約１万人が転倒事故によって死亡している。また、日本政府が発表した人口の動的統計資料の報告によると、日本の家庭内に於いて滑りや倒れによる傷害人数は約１００万人にも及び、転倒によって死亡する数は年間７３７人もあり、そのうち６５歳以上の年寄りが多数を占めている。家の中で最も転倒しやすい場所は浴室であり、特に年寄りまたは行動不便者は膝の関節が退化しているためである。または便所に行ったとき、膝関節の力不足によって支えできなくなって転倒することや、便器から自分の力で立ち上がることができないことが傷害の原因になっている。便器周辺の壁に取っ手を取り付けて、手の力で腰掛けまたは立ち上がりを補助することもできるが、大部分の年寄りまたは行動不便者、障害者に対して、依然不足なところがある。
【考案の概要】
【考案が解決しようとする課題】
【０００３】
前記した従来技術の欠点をまとめると、従来は概して老人または行動不便者が膝関節の退化、または傷害等の要因によって便所に行ったときに転倒または滑りやすく、また補助用取っ手を取り付けても確実に問題を解決することができない。
【課題を解決するための手段】
【０００４】
本考案は便器からの立ち上がりを補助する電動椅子であり、それは基座と、腰掛セット（ｓｅｔ）を含む。
基座の内部は便器が入れる収容空間を具え、基座の両側にはそれぞれ上方向に延伸する支えが設けられてある。
腰掛セット（ｓｅｔ）は基座の上側に設けられるクッション（ｃｕｓｈｉｏｎ）枠であり、クッション枠は便器に対応して腰掛けクッションが設けられ、そのうち、基座の両側とクッション枠の間に昇降機構が設けられ、昇降機構は動力によって使用者の腰掛けまたは立ち上がりを補助する。
【考案の効果】
【０００５】
本考案では、昇降機構が動力を受けて動いてクッション枠を動かして昇降及び角度の調整動作を行えるので、それによって使用者が便器から立ち上がったり、腰掛けたりすることを適切に補助することができる。
【図面の簡単な説明】
【０００６】
【図１】本考案に係る電動椅子の立体外観分解意表図である。
【図２】本考案に係る電動椅子の立体外観組合せ意表図である。
【図３】本考案に係る電動椅子の動作意表図（一）である。
【図４】本考案に係る電動椅子の動作意表図（二）である。
【図５】本考案に係る電動椅子の動作意表図（三）である。
【考案を実施するための形態】
【０００７】
図１及び図２に示すように、本考案の便器からの立ち上がりを補助する電動椅子は、基座１０と腰掛セット２０と昇降機構３０とを含む。
【０００８】
基座１０の内部は便器９０を収容する収容空間１１を具える。基座１０の便器９０両側にはそれぞれ上方向に延伸する支え１２が設けられてある。
【０００９】
腰掛セット２０は基座１０の上側に設置されるクッション枠２１を含む。クッション枠２１は便器９０に対応して環形に現われる腰掛クッション２２が設けられ、かつクッション枠２１の両側にはそれぞれ手すり２３が設けられる。クッション枠２１の後側には背もたれが２４が設けられる。それによって使用者は腰掛クッション２２に座って用便することができる。
【００１０】
また、基座１０の両側とクッション枠２１の間にはそれぞれ昇降機構３０が設けられる。昇降機構３０は保護覆い連動部材４０と上連接棒５０と下連接棒６０と駆動部材７０と制御装置８０とを含む。
【００１１】
保護覆い連動部材４０は連動部材主体４１の両側にあり、それぞれ内殻体４２及び外殻体４３に覆われて形成される。保護覆い連動部材４０はクッション枠２１側辺個所に設けられる連接段４４を含む。連接段４４の前方は下へ延伸して中空の保護覆い段４５が設けられる。保護覆い段４５は基座１０に向かって開放状に現れる。例えば連動部材主体４１と内殻体４２間の基座１０に向かう個所には開放面４６を具え、連動部材主体４１と外殻体４３間の基座１０に向かう個所にも開放面４７を具える。
【００１２】
上連接棒５０の一端は支え１２の頂上端に枢接され、他の一端は内殻体４２及び連動部材主体４１間の開放面４６から通り込み、かつ保護覆い段４５内部の頂上端に近い個所に枢接される。
【００１３】
下連接棒６０はその一端が概して支え１２の中段個所に枢接され、他の一端は内殻体４２及び連動部材主体４１間の開放面４６から通り込み、並びに保護覆い段４５内部の底端に近い個所に枢接される。そのうち、上連接棒５０の長さは下連接棒６０より長い。
【００１４】
駆動部材７０はその一端が基座１０個所に枢接され、他の一端は前方へ延伸して上方向へ設置され、外殻体４３及び連動部材主体４１間の開放面４７から通り込み、並びに保護覆い段４５内部の頂上端に近い個所に枢接される。駆動部材７０は定額外の動力を受けて動き、活動伸縮してそれの長さを変えることができる。例えば駆動部材７０はアクチュエーター（ａｃｔｕａｔｏｒ）７１である。アクチュエーター７１は基座１０個所に枢設される電動駆動部７２、及び一端が保護覆い段４５内に枢設される伸縮棒７３を含む。
【００１５】
制御装置８０は手すり２３に設置され、制御装置８０には複数の押しボタン（ｂｕｔｔｏｎ）またはスイッチ（ｓｗｉｔｃｈ）が設けられて駆動部材７０の動作を制御する。
【００１６】
図３から図５に示すように、使用者が制御装置８０のボタンを押して腰掛セット２０を上昇させて、使用者を便器９０から立ち上げようとする場合、制御装置８０は直ちにアクチュエーター７１の電動駆動部７２を駆動し、それら伸縮棒７３は伸び出て駆動部材７０の長さを増やす。
【００１７】
それら駆動部材７０の長さが増えると、それら上連接棒５０及び下連接棒６０は同調に駆動されて腰掛セット２０の方向へ上方向の回りが発生し、更に進んで腰掛セット２０は上昇動作を生じて高さ位置が増える。かつそれら駆動部材７０は便器９０の前方斜め方向へ設置されているので、それの長さが増えるとそれら腰掛セット２０は前方へ移動する。
【００１８】
それと同時に、上連接棒５０の長さは下連接棒６０より長いので、それら上連接棒５０及び下連接棒６０が上へ回るように導き、下連接棒６０の動く幅は上連接棒５０の動く幅より小さくなり、そのために腰掛セット２０が引き上げられると下連接棒６０は保護覆い段４５の底端を引き動かし、腰掛セット２０に前へ回転する動作が発生する。
【００１９】
これにより、本考案の腰掛セット２０が引き上げられると、それの高さが増えるほか、同時に前へ移動し及び前へ回転する動作が発生し、人体が座る姿勢から立ち上がる姿勢へ変えるときのお尻の位置変化に確実に合わせ、本考案は使用者が便器９０から立ち上がるときに使用者の立ち上がる力を全通り助力し、それによって省力、便利及び安全等目的を達成する。
【００２０】
また、使用者が便器９０に座って用便する場合、上記動作を反対方向に操作するだけで腰掛セット２０を下ろし、かつ同調して後方向へ回すことができ、使用者を立った姿勢から座る姿勢へ助力し、支えの力を全通り与え、使用者の滑りまたは転倒を防ぐ。
【００２１】
更に、年寄りまたは行動不便者は膝関節の支え力が不足するため、後へ座る場合はお尻が宙に浮いて恐怖感が生じ、心理的の克服できない障害になる。そのために本考案の腰掛セット２０が立つ位置まで上昇した場合、腰掛クッション２２の高さ及び角度は使用者の立ったお尻の後側に近寄り、使用者が立ったときに少し後へ寄りかかるだけで、使用者に支えの力を提供し、確実に彼らの心理的障害問題を克服する。
【００２２】
また使用者があまりにも早く制御装置８０を押してしまい、そのために使用者がまだ座っていない前に、早期に降下することことが予想される。本考案では腰掛セット２０が更に腰掛セット２０に設置された感知部材８１が含まれているため、感知部材８１は使用者が腰掛クッション２２と接触しているかを感知することができる。例えば感知部材８１はマイクロスイッチ（ｍｉｃｒｏ  ｓｗｉｔｃｈ）、圧力感知スイッチ、光遮断スイッチまたはその他同じ目的を達成することができる装置である。感知部材８１は感知した信号を制御装置８０へ伝送して対応する動作が発生し、これにより、使用者が制御装置８０を押し、かつ確実に腰掛クッション２２に寄りかかった場合に、制御装置８０は自動的に降下動作を起こし、早すぎる動作によって不慮の事態が発生することを防止する。
【符号の説明】
【００２３】
１０      基座
１１      収容空間
１２      支え
２０      腰掛セット
２１      クッション枠
２２      腰掛クッション
２３      手すり
２４      背もたれ
３０      昇降機構
４０      保護覆い連動部材
４１      連動部材主体
４２      内殻体
４３      外殻体
４４      連接段
４５      保護覆い段
４６、４７  開放面
５０      上連接棒
６０      下連接棒
７０      駆動部材
７１      アクチュエーター
７２      電動駆動部
７３      伸縮棒
８０      制御装置
８１      感知部材
９０      便器
【図１】
0003166569.tif 000003
【図２】
0003166569.tif 000004
【図３】
0003166569.tif 000005
【図４】
0003166569.tif 000006
【図５】
0003166569.tif 000007